(57)【要約】【課題】ファックスデータモデムを搭載した情報処理装置において、可能な限り通信先装置に適したデ−タ生成を行ない、通信時間を短縮することを目的とするものである。【解決手段】通信先の電話番号に基づき、通信先装置の印字時間を確保する為に転送データに冗長デ−タを付加するか否かを判別する判断部を備え、前記判断部の判断結果に応じて冗長データの付加の有無を行う。【選択図】図１
2004120573.tif 000002
【特許請求の範囲】
【請求項１】
通信先の電話番号に基づいて、転送データに通信先装置の印字時間を確保する為の冗長デ−タを付加するか否かを判別する判断部と、
前記判断部が冗長データを付加すると判断した場合に転送データに冗長データを付加するデ−タ生成部と、
前記デ−タ生成部で生成されたデ−タを記憶するデ−タ記憶部と、
前記デ−タ記憶部に記憶されたデ−タを通信網を通じて通信先装置へ送信する回線制御部と、
を備えた通信装置。
【請求項２】
請求項１記載の通信装置であって、
前記判断部は、通信先の電話番号の所定桁からの所定長の番号に基づいて、転送データに通信先装置の印字時間を確保する為の冗長デ−タを付加するか否かを判別すること、
を特徴とする通信装置。
【請求項３】
請求項１記載の通信装置であって、
電話番号と通信先装置との対応表を備え、
前記判断部は、前記対応表を参照することで、転送データに通信先装置の印字時間を確保する為の冗長デ−タを付加するか否かを判別すること、
を特徴とする通信装置。
【請求項４】
前記判断部または前記データ生成部は、通信先の電話番号に基づいて通信先装置を識別して前記回線制御部へ該通信先装置に応じた通信速度を指示すること、を特徴とする請求項１乃至請求項３記載の通信装置。
【発明の詳細な説明】
【０００１】
【発明の属する技術分野】
本発明は有線、無線を問わず、通信網に接続されたファックス送信機能を持つ通信装置に関するものである。
【０００２】
【従来の技術】
近年パソコンが一般家庭に急激に普及してきており、このパソコンを使った各種通信機能も充実してきている。特に、パソコン等の情報処理装置にファックス通信を可能とするソフトウエアによって実現されるファックスデ−タモデムを搭載した装置が数多く出荷されている。ファックス通信については、標準規格であるＩＴＵ−Ｔ勧告に準拠した圧縮方式を実施している。
【０００３】
ファックス通信においては、通信先装置が対応できる圧縮方式でデ−タ生成し送信しないと通信先装置は送られてくるデ−タが正常に転送できない
また、装置内部に一時的にデ−タを記憶するバッファを持たないファックスに対して送信を行なう場合、送信元の通信機器は、送信先のファックスが１ラインの印字を完了するまで次のラインのデータを送信できない。このため、送信元の通信装置は、送信先のファックスに１ライン毎の印字時間を確保するために、送信デ−タにさらに冗長デ−タを付け加え、時間を稼ぐ必要がある。通信先装置は、送られてくるデータに十分な冗長デ−タが付加されていないと、印字が間に合わなくなり、通信異常で送信が終了するからである。
【０００４】
したがって、一般のファックスは、通信先装置と接続後に通信先装置の通信能力を判別してそれに合わせたデ−タを生成し、送信を行なっている。
【０００５】
しかしパソコン等のファックスデータモデムを利用した通信装置においては、通信先装置と接続後に通信先装置の通信能力を判別してそれに合わせたデ−タ生成、転送を実施する通信手順ではデ−タ生成の処理スピ−ドが間に合わない。このため、通信先装置との接続前にデ−タ生成を行っていた。
【０００６】
ところが、これではデ−タ生成時に通信先装置の通信能力が識別できないことから通信先装置を一番受信能力の低い装置と想定したデ−タ生成方式を実施していた。
【０００７】
また、無駄なフォールバックによる通信時間の長時間化を避けることを目的としたものであるが、以下のような技術が開示されている。通信装置は、通信相手が無線接続でない場合は有線回線用の通信可能速度で通信を行い、通信相手が無線接続である場合は無線回線用の通信可能速度で通信を行なう。通信相手が無線接続である場合は、自機の通信可能速度と通信相手から送られてきたＤＩＳで宣言された相手機の通信可能速度とを比較し、自機の通信可能速度が相手機の通信可能速度よりも遅い場合、自機の通信可能速度を通信速度とする。一方、自機の通信可能速度が相手機の通信可能速度よりも早い場合、相手機の通信可能速度を通信速度とする（例えば、特許文献１参照）。
【０００８】
【特許文献１】
特開２００１−１０３２６５号公報
【０００９】
【発明が解決しようとする課題】
ところが、このように、通信先装置を識別できない状態で、最も能力の低い装置を想定して生成された送信データは、冗長デ−タが付加されるためにデ−タ量が多くなり、通信先装置との通信時間が非常に長くなってしまう。このため外部要因による回線の切断、ノイズ等による情報の誤りなどの発生する確率が高くなり情報伝達の信頼性が低下するおそれがある。通話時間が長くなれば、当然に通信料金も高くなってしまう。
【００１０】
本発明はパソコン等を含む情報処理装置であって、ファックスデータモデムを搭載した装置において、可能な限り通信先装置に適したデ−タ生成を行ない、通信時間を短縮することを目的とするものである。
【００１１】
【課題を解決するための手段】
図６は本発明を有する通信装置が接続される通信網の一例である。
【００１２】
本発明に係る通信装置は通信網に接続される。そして受信側には各種ファクシミリ、パソコン、ワ−プロなどの通信可能な情報処理装置が接続されている。
【００１３】
本発明に係る通信装置がこのような通信網を介して通信先装置に発呼する場合、発呼番号が（０９０）や（０７０）で始まる電話番号であれば通信先装置が携帯電話やＰＨＳ等の無線に接続された装置であることが判る。この場合、送信デ−タに冗長データを追加する必要は無い。なぜならば、このような装置は、デ−タを一旦メモリ等に格納して通信終了後にデ−タを復元できるからである。このような装置は、印字データを全てメモリ上に蓄えておけるので、印字状態に応じて適宜データの読み出しを開始し、または停止することが可能だからである。
【００１４】
そこで発呼先番号が（０９０）や（０７０）で始まる場合は、送信デ−タ生成の際にこれらの条件を含めたデ−タ生成を行う。
【００１５】
また発呼番号に対応した通信先装置の受信能力を登録していれば、登録された相手には、最適のデ−タ圧縮方法、冗長データの付加の有無、最適の通信速度を認識した上でデ−タを生成することができる。
【００１６】
さらに回線を通じて通信先装置の受信能力デ−タを取得することができるので、取得した受信能力デ−タを登録して次回からの同じ相手に対する通信に活用して最適なデ−タ生成を行える。
【００１７】
【発明の実施の形態】
（第１の実施の形態）
図１は、本願発明の第１実施形態を示す図である。
【００１８】
図１において、１０はＦＡＸ機能付き通信装置、１１は主制御部、１２はデータ圧縮部、１３はデータ記憶部、１４は情報入力部、１５は原稿読取部、１６はモデム機能をもつ回線制御部である。また、２０はデータ圧縮部１２内の圧縮符号生成部、２１は冗長データ生成部であり、３０は主制御部１１内のモ−ド判定部である。
【００１９】
通信端末１０において、オペレータがファックス通信を開始する場合を、図２の処理フロ−によって説明する。
【００２０】
まず、オペレータは送信原稿を原稿読取部１５にセットして、情報入力部１４から送信する通信先装置の電話番号を入力する。入力された電話番号は、主制御部１１に転送されて認識される。
【００２１】
次に、オペレータからの動作開始指示により、送信処理が開始すると、主制御部１１は原稿読取部１５を起動して送信原稿の読取を開始する。原稿読取部１５で読み取られた情報は、主制御部１１の指示によりデ−タ圧縮部１２に転送される。このとき、主制御部１１は入力された電話番号をモ−ド判定部３０により解析して、通信先装置が無線接続か有線接続かを識別する。通信先装置が無線接続のときには冗長データ無しのモ−ドを選択してデータ圧縮部１２内の符号生成部２０だけを起動する。また、通信先装置が有線接続のときには冗長データ有りのモ−ドを選択してデータ圧縮部１２内の符号生成部２０と冗長データ生成部の両方を起動する。ここで冗長データとは、送信先通信装置が１ライン分の印字時間を確保するために追加するデ−タのことである。
【００２２】
無線接続の場合、原稿読取部１５から転送されてきた情報は符号生成部２０によりファックス符号に変換され、その符号情報はデータ記憶部１３に記憶される。この記憶情報は、冗長データ生成部２１が起動していないため、冗長データなしの情報となる。また、有線接続の場合、原稿読取部１５から転送されてきた情報は、符号生成部２０によりファックス符号に変換されるとともに、１ラインごとに主制御部１１が指示する冗長データを冗長データ生成部２１で生成、付加して送信情報を作成する。そして、冗長データ有り情報としてデータ記憶部１３に記憶する。
【００２３】
例えば、日本の場合、携帯電話の電話番号は「０９０」で始まるため、入力された電話番号が「０９０−ｘｘｘｘ−ｘｘｘｘ」であれば、通信先装置は無線接続であることがわかる。このため、冗長データなしでのデータとして送信情報を作成する。またこれ以外の電話番号は、通常の冗長データ有りとして送信情報を作成する。
【００２４】
以上のデ−タ圧縮部１２の動作について、図５デ−タ圧縮部の処理フロ−に基づいて説明する。最初に主制御部１１からの指示により圧縮モ−ドを設定する。次に原稿読取部１５で読取った１ライン分の原稿デ−タにライン終端符号を作成、添付して原稿デ−タに圧縮をかける。この後、必要ならば冗長データの付加を行い、１ライン分の処理が終わる。次に再び最初に戻って次の１ライン分の処理を行う。１ペ−ジ分の処理が終わると制御復帰符号を作成、添付して処理が終わる。　１ペ−ジ分のデ−タ量変化の一例を圧縮前、圧縮後、冗長データ付加３つの段階別に示したものが図８である。
【００２５】
次に、主制御部１１はすべての原稿をデータ記憶部１３に記憶後、入力された電話番号を回線制御部１６に指示、回線制御部１６はその指示によってダイヤル発呼し、通信先装置に接続した後にデータ記憶部１３に記憶されているデータを送信処理する。
【００２６】
以上の説明は、原稿入力機能をもつファックスのような装置について行ったが、パソコン等のような原稿作成機能をもっている装置がファックス機能をもつ場合は、作成原稿を記憶する領域を持ち、その情報を入力情報とすることで、さまざまな装置に応用することができる。また、携帯電話の番号についても、日本だけでなく、諸外国においても同様に考えることができる。このため、本願発明は世界の各地で実施することが可能である。さらに、電話番号の入力は、パソコン等の住所録情報にファックス番号を登録しておいて、それを活用することでも可能である。
【００２７】
さらに、主制御部１１が電話番号によって通信先装置の最大通信速度を識別できれば、その最大通信速度に対応した指示を回線制御部１６へ出し、より高速な通信速度での送信が可能となる。
（第２の実施の形態）
図３は、本願発明の第２実施形態を示す図であり、図１と同じものは同一符号で示してある。
【００２８】
図３において、１０はＦＡＸ機能付き通信装置、１１は主制御部、１２はデータ圧縮部、１３はデータ記憶部、１４は情報入力部、１５は原稿読取部、１６はモデム機能をもつ回線制御部、１７は電話帳情報格納部である。また、２０はデータ圧縮部１２内の圧縮符号生成部、２１は冗長データ生成部であり、３０は主制御部１１内のモ−ド判定部である。
【００２９】
図６は本発明に係る通信装置が接続されるシステム全体の構成図である。
【００３０】
通信装置１０において、オペレータがファックス通信を開始する場合を、図４の処理フロ−によって説明する。
【００３１】
まずオペレータは事前に通信先装置の電話番号、受信能力等を電話帳情報格納部１７へ登録する。そしてファックス送信処理を開始する。送信原稿を原稿読取部１５にセットして、情報入力部１４から送信する通信先装置の電話番号を入力する。入力された電話番号は、主制御部１１に転送され認識される。
【００３２】
オペレータからの動作開始指示により送信処理が開始されると、主制御部１１は原稿読取部１５を起動して送信原稿の読取を開始する。原稿読取部１５で読み取られた情報は、主制御部１１の指示によりデ−タ圧縮部１２に転送される。このとき、主制御部１１は、入力された電話番号を電話情報格納部１７内の情報で確認し、通信先装置の受信能力を識別する。もし通信先装置の受信能力が識別できるときには、データ圧縮部１２にその受信能力に合致したデ−タ生成方法を指示する。
【００３３】
また、通信先装置の受信能力が識別できないときには通信先装置が最低レベルの受信能力であることを前提にデータ圧縮部１２にデ−タ生成方法を指示する。デ−タ圧縮部１２は、読取部１５から転送されてきた情報を主制御部１１の指示するデ−タ生成方法でファックス符号に変換し、データ記憶部１３に記憶する。そして、主制御部１１は、すべての原稿をデ−タ記憶部１３に記憶後、入力された電話番号を回線制御部１６に指示する。回線制御部１６はその指示によってダイヤル発呼し、通信先装置に接続した後にデータ記憶部１３に記憶されているデータを送信処理する。
【００３４】
以上の説明は、原稿入力機能をもつファックスのような装置について行ったが、パソコン等のような原稿作成機能をもっている装置がファックス機能を備える場合は、作成原稿を記憶する領域をもたせ、その情報を入力情報とすることで、様々な装置に応用することができる。
【００３５】
なおデ−タ生成方法の情報としては、図７電話帳情報格納部のテ−ブル内ファックス受信能力の項目にあげている圧縮符号化方式、１ライン記録時間、最大通信速度などがある。主制御部１１は、これらの情報によりデ−タ生成方法を決定し、デ−タ圧縮部１２へ、圧縮方法、冗長データの有無などを指示する。また、これらの情報は事前にオペレータ−が入力する以外に、通信先装置と通信回線を通じて接続した場合に、回線制御部１６によって通信先装置より取得し、電話帳情報格納部１７へ記憶する事も可能である。
【００３６】
【発明の効果】
以上説明したように、本発明によれば、次の効果を奏する。
（１）ファックスデ−タ送信時に冗長データを必要としない通信先装置には冗長データのないデ−タを送信できるので、通信時間の短縮と情報の信頼性向上とが実現できる。
（２）受信能力の判っている通信先装置には相手にとって最適な送信方法で送信することにより、通信時間の短縮と情報の信頼性向上とが実現できる。
【図面の簡単な説明】
【図１】本発明の実施の第１形態を示すブロック図である。
【図２】図１に対応する処理フロ−図である。
【図３】本発明の実施の第２形態を示すブロック図である。
【図４】図３に対応する処理フロ−図である。
【図５】デ−タ圧縮部１２の処理フロ−図の一例である。
【図６】本発明を有する通信装置のシステム構成の一例である。
【図７】電話帳情報格納部のテ−ブルの一例である。
【図８】デ−タ生成時のデ−タ量の変化の一例である。
【符号の説明】
１０　通信装置
１１　主制御部
３０　モ−ド判定部
１２　デ−タ圧縮部
２０　圧縮符号生成部
２１　フィル生成部
１３　デ−タ記憶部
１４　情報入力部
１５　原稿読取部
１６　回線制御部
１７　電話帳情報格納部
【図１】
2004120573.tif 000003
【図２】
2004120573.tif 000004
【図３】
2004120573.tif 000005
【図４】
2004120573.tif 000006
【図５】
2004120573.tif 000007
【図６】
2004120573.tif 000008
【図７】
2004120573.tif 000009
【図８】
2004120573.tif 000010